【手続補正書】
【提出日】平成20年3月4日(2008.3.4)
【手続補正１】
【補正対象書類名】特許請求の範囲
【補正対象項目名】全文
【補正方法】変更
【補正の内容】
【特許請求の範囲】
【請求項１】
略同時に販売対象の商品を売出すための方法であって、
前記商品を所定の価格水準にて或る数量購入するための申込を含む、前記商品を購入するための取引意図の提示を引受けるステップと、
前記引受けた提示の表示を、見込買手に提供するステップと、
前記表示を提供した後に、追加の提示を引受けるステップと、
前記追加の提示を引受ける前記ステップを所定時間で終了し、前記提示を注文明細として処理するステップとを含むことを特徴とする方法。
【請求項２】
一買手からの複数の提示を引受けられることを特徴とする請求項１に記載の方法。
【請求項３】
前記表示が、時間に対する前記引受けた提示の数量を表示することを含むことを特徴とする請求項１に記載の方法。
【請求項４】
前記価格水準が、利回り又は価格同等物であることを特徴とする請求項１に記載の方法。
【請求項５】
引受けた提示が、拘束力があることを、あらかじめ定められていることを特徴とする請求項１に記載の方法。
【請求項６】
引受けた提示が、拘束力がないことを、あらかじめ定められていることを特徴とする請求項１に記載の方法。
【請求項７】
前記追加の提示を引受ける前記ステップが、前記引受けた提示のうち先に引受けた提示を取消す又は変更することを含むことを特徴とする請求項１に記載の方法。
【請求項８】
所定の価格水準又は利回りにて割当て可能な商品の数量に制限があることを特徴とする請求項１に記載の方法。
【請求項９】
前記販売対象の商品が、有価証券であることを特徴とする請求項１に記載の方法。
【請求項１０】
前記販売対象の商品が、債権又は持分証券であることを特徴とする請求項９に記載の方法。
【請求項１１】
前記販売対象の商品が、証券化された資産又は契約又は権利であることを特徴とする請求項１に記載の方法。
【請求項１２】
前記販売対象の商品が、商品又はサービスのユニットであることを特徴とする請求項１に記載の方法。
【請求項１３】
前記表示が、前記商品の見込買手の代理人に提供されることを特徴とする請求項１に記載の方法。
【請求項１４】
前記各引受けた提示の前記表示が、第１の軸に前記価格及び第２の軸に前記数量を表示することを特徴とする請求項１に記載の方法。
【請求項１５】
前記各引受けた提示の前記表示が、第１の軸に前記数量及び第２の軸に前記利回りを表示することを特徴とする請求項１に記載の方法。
【請求項１６】
前記表示が、第３の軸に前記各提示の追加の属性を表示することを特徴とする請求項１４に記載の方法。
【請求項１７】
前記商品を、前記引受けた提示に割当てるステップを更に含むことを特徴とする請求項１に記載の方法。
【請求項１８】
前記割当が、前記商品の数量、前記提示の前記価格又は金額に応じてなされることを特徴とする請求項１７に記載の方法。
【請求項１９】
全商品を、同一の商品価格にて価格付けするステップを更に含むことを特徴とする請求項１に記載の方法。
【請求項２０】
少なくとも前記商品の一部が、前記提示で設定された価格水準以外の価格にて価格付けされることを特徴とする請求項１９に記載の方法。
【請求項２１】
前記商品を、異なる買手には異なる価格にて価格付けするステップを更に含むことを特徴とする請求項１に記載の方法。
【請求項２２】
前記提示が、通信ネットワークを経由して提出されることを特徴とする請求項１に記載の方法。
【請求項２３】
前記引受けた提示の数量が、前記商品の総数量に対して所定数量を超えているか判定するステップと、
前記商品を、前記引受けた提示に割当てるステップとを更に含むことを特徴とする請求項１に記載の方法。
【請求項２４】
前記割当ステップが、商品の数量を追加提供することを含むことを特徴とする請求項２３に記載の方法。
【請求項２５】
前記割当ステップが、より低い価格又はより高い利回りを指定している少なくとも一部の前記提示を取消すことを含むことを特徴とする請求項２３に記載の方法。
【請求項２６】
前記各引受けた提示で設定された前記価格水準にて、前記商品を価格付けするステップを更に含むことを特徴とする請求項１に記載の方法。
【請求項２７】
第２の種類の商品を購入するための、第２の提示を引受けるステップと、
前記第２の種類の商品のための前記引受けた提示の表示を、前記第１の種類の商品のための前記引受けた提示の前記表示と共に提供するステップとを更に含むことを特徴とする請求項１に記載の方法。
【請求項２８】
前記商品の少なくとも一部が、あらかじめ決められた買手のみが入手できるようにすることを更に含むことを特徴とする請求項１に記載の方法。
【請求項２９】
前記あらかじめ決められた買手のための前記商品が、所定単価又は所定総額で価格付けされることを特徴とする請求項２０に記載の方法。
【請求項３０】
前記あらかじめ決められた買手のための前記商品が、別の買手用に価格付けされた商品の価格に関連付けた価格で価格付けされることを特徴とする請求項２８に記載の方法。
【請求項３１】
前記引受けた提示を取消すステップと、
取消を知らせるメッセージを、前記取消された提示を提出した前記買手に発信するステップとを更に含むことを特徴とする請求項１に記載の方法。
【請求項３２】
前記提出された提示の状態に関するメッセージを、該提示の提出者に発信するステップを更に含むことを特徴とする請求項１に記載の方法。
【請求項３３】
前記メッセージが、定期的に発信されることを特徴とする請求項３２に記載の方法。
【請求項３４】
前記表示が、前記引受けた提示を正規化して表示することを含むことを特徴とする請求項１に記載の方法。
【請求項３５】
前記表示が、同様な商品の以前の売出に関する表示を含むことを特徴とする請求項１に記載の方法。
【請求項３６】
前記表示が、所定の規模を超える前記提示を表示することを含むことを特徴とする請求項１に記載の方法。
【請求項３７】
複数の種類の買手があり、前記表示が、前記引受けた提示を、前記買手に関連付けて表示することを含むことを特徴とする請求項１に記載の方法。
【請求項３８】
前記表示が、静止表示、繰返し表示又はシミュレーション表示を含むことを特徴とする請求項１に記載の方法。
【請求項３９】
前記表示が、特定の提示の提出者に特有であることを特徴とする請求項１に記載の方法。
【請求項４０】
前記表示が、前記引受けた提示に加えて、情報を含むことを特徴とする請求項１に記載の方法。
【請求項４１】
前記追加情報が、計算機であることを特徴とする請求項４０に記載の方法。
【請求項４２】
前記表示が、前記商品の売出し可能な数量を超える数量の前記引受けた提示を表示することを含むことを特徴とする請求項１に記載の方法。
【請求項４３】
前記表示が、前記引受けた提示の間の価格差を表示することを含むことを特徴とする請求項１に記載の方法。
【請求項４４】
前記表示が、前記引受けた提示の時間に対する価格変化を表示することを含むことを特徴とする請求項１に記載の方法。
【請求項４５】
前記表示が、提示に関する予想設定を表示することを含むことを特徴とする請求項１に記載の方法。
【請求項４６】
前記表示が、ゲーム理論に基づくシナリオの結果を表示することを含むことを特徴とする請求項１に記載の方法。
【請求項４７】
前記方法が、シミュレーションとして実行されることを特徴とする請求項１に記載の方法。
【請求項４８】
前記表示が、少なくとも１つの前記表示された提示の提出者を識別することを特徴とする請求項１に記載の方法。
【請求項４９】
前記商品の価格を、前記全引受けた提示の関数により設定するステップを更に含むことを特徴とする請求項１に記載の方法。
【請求項５０】
前記関数が、前記引受けた提示の平均を取ることを含むことを特徴とする請求項４９に記載の方法。
【請求項５１】
前記関数が、前記売出価格を設定するため、前記平均を調整することを更に含むことを特徴とする請求項４９に記載の方法。
【請求項５２】
前記平均が、加重平均であることを特徴とする請求項５１に記載の方法。
【請求項５３】
取引意図の提示用に、スレショルド価格を設定するステップを更に含むことを特徴とする請求項１に記載の方法。
【請求項５４】
前記提示をより早い時期に提出した提出者に、報酬を与えるステップを更に含むことを特徴とする請求項１に記載の方法。
【請求項５５】
前記報酬が、価格の優遇であることを特徴とする請求項５４に記載の方法。
【請求項５６】
所定条件と合致しない提示を、引受けないステップを更に含むことを特徴とする請求項１に記載の方法。
【請求項５７】
取引意図の提示を、コンピュータで実行されるプログラムを利用して生成するステップと、
前記生成された取引意図の提示を提出するステップとを更に含むことを特徴とする請求項１に記載の方法。
【請求項５８】
前記引受けた提示以外の提示を反映する情報を、前記表示に追加するステップを更に含むことを特徴とする請求項１に記載の方法。
【請求項５９】
前記引受けた提示に応答して、前記商品の購入可能数量を変化させるステップを更に含むことを特徴とする請求項１に記載の方法。
【請求項６０】
コンピュータが読込可能なメディアであって、前記メディアに請求項１に記載の方法を実行するためのコンピュータ命令を記録していることを特徴とするメディア。
【請求項６１】
略同時に販売される販売対象の商品の、少なくとも１つを購入するための取引意図を提示するための方法であって、
前記販売対象の商品の価格及び数量を含む、前記商品を購入するための取引意図の提示の表示を一覧するステップと、
前記商品の価格水準及び数量を含む、前記商品を購入するための取引意図の提示を提出するステップと、
追加の提示又は前記提示の変更を提出するための機会を有するステップとを含み、
前記追加の提示又は前記提示の変更を提出するための前記機会が所定時間で終了し、前記提示が引受けられることを特徴とする方法。
【請求項６２】
商品を売出すための、コンピュータで実行可能なシステムであって、
前記商品を所定の理論的水準にて或る数量購入するための申込を含む、前記商品を購入するための取引意図の提示を保持するためのデータベースと、
見込買手からの前記提示を引受けるための前記データベースと動作可能に接続する参加者モジュールとを含み、
前記データベースにより、前記見込買手に前記引受けた提示の表示を提供することを特徴とするシステム。
【請求項６３】
前記表示が、第３の軸に前記各提示の追加の属性を表示することを特徴とする請求項１５に記載の方法。
【請求項６４】
前記報酬が、前記商品の追加割当て又は価格に関するサポートであることを特徴とする請求項５４に記載の方法。
【請求項６５】
前記販売対象の商品の販売手数料が、或るモードでは、前記商品の前記価格の関数であることを特徴とする請求項１に記載の方法。
【請求項６６】
前記表示が、異なる特性を有する商品を表示するための、複数画面、又は分割画面或いはタブ画面を含むことを特徴とする請求項１に記載の方法。
【請求項６７】
前記表示が複数の軸を含み、少なくとも１つの軸が、時間とともに変化するものを表すことを特徴とする請求項１に記載の方法。
【請求項６８】
前記取引意図の提示をモニタするステップと、
前記モニタした提示に応答して所定のアクションをするステップとをさらに含むことを特徴とする請求項１に記載の方法。